(57)【要約】【課題】ページめくり等により共有画像データのトラヒック量が短時間で増大するような場合に、転送遅延を削減し、通信帯域を有効利用するように通信帯域を制御する画像データ通信システムを提供することを目的とする。【解決手段】端末を複数備え、端末に表示される画像データを複数の端末間で通信する画像データ通信システムにおいて、第１端末は、第１画像データを第１送信帯域以下で通信部から送信する第１画像データ送信部と、第２画像データを第２送信帯域以下で通信部から送信する第２画像データ送信部と、第１送信帯域及び第２送信帯域を管理する第１端末送信帯域管理部と、を備え、第１端末送信帯域管理部は、送信する第２画像データの容量が所定値以上である場合アラームフラグが設定されている場合の第２送信帯域を、アラームフラグが設定されていない場合の前記第２送信帯域よりも大きくなるように設定することを特徴とする。【選択図】図２
2012114623.tif 000002
【特許請求の範囲】
【請求項１】
複数の端末を備え、前記各端末に表示される画像データを前記複数の端末間で通信する画像データ通信システムにおいて、
前記画像データは、カメラによって撮像された第１画像データ、及び、前記いずれかの端末で実行された所定のアプリケーションで表示され、前記複数の端末間で共有される画面に表示される第２画像データを含み、
前記端末は、前記所定のアプリケーションを実行する第１端末と、前記第１端末で実行されたアプリケーションで表示された画面を前記第１端末と共有する第２端末と、を含み、
前記第１端末は、
前記第１画像データを第１送信帯域で前記通信部から送信する第１画像データ送信部と、
前記第２画像データを第２送信帯域で前記通信部から送信する第２画像データ送信部と、
前記第１送信帯域及び前記第２送信帯域を管理する第１端末送信帯域管理部と、を備え、
前記第２画像データ送信部は、送信する前記第２画像データの単位時間当たりの容量が所定値以上であるか否かを判定するアラーム判定処理を実行し、
前記第１端末送信帯域管理部は、
前記アラーム判定処理の判定結果が送信する前記第２画像データの単位時間当たりの容量が所定値以上である場合、前記第２送信帯域を、前記アラーム判定処理の判定結果が送信する前記第２画像データの単位時間当たりの容量が所定値未満である場合の前記第２送信帯域よりも大きくなるように設定し、
前記アラーム判定処理の判定結果が送信する前記第２画像データの単位時間当たりの容量が所定値以上である場合、前記第１送信帯域を、前記アラーム判定処理の判定結果が送信する前記第２画像データの単位時間当たりの第１容量が所定値未満である場合の前記第１送信帯域よりも小さくなるように設定することを特徴とする画像データ通信システム。
【請求項２】
前記第１画像データ送信部は、前記アラーム判定処理の判定結果が送信する前記第２画像データの単位時間当たりの容量が所定値以上である場合、前記送信する第１画像データの解像度及びフレームレートの少なくとも一方を、前記アラーム判定処理の判定結果が送信する前記第２画像データの単位時間当たりの容量が所定値未満である場合よりも小さくすることを特徴とする請求項１に記載の画像データ通信システム。
【請求項３】
前記第２端末は、前記受信した第１画像データ及び前記第２画像データを表示する表示データを作成する表示データ作成部を備え、
前記第１端末は、前記判定結果が送信する前記第２画像データの単位時間当たりの容量が所定値以上である場合、その旨を通知するアラーム通知を前記第２端末に送信する第２端末通知送信部を備え、
前記表示データ作成部は、前記アラーム通知を受信した場合、前記第２画像データを、前記アラーム通知を受信してない場合の前記第２画像データよりも大きく表示するための拡大表示データを作成することを特徴とする請求項１及び請求項２に記載の画像データ通信システム。
【請求項４】
前記第２画像データ送信部は、前記第１送信帯域が、前記アラーム判定処理の判定結果が送信する前記第２画像データの単位時間当たりの容量が所定値未満である場合の前記第１送信帯域よりも小さく、前記第２送信帯域が、前記アラーム判定処理の判定結果が送信する前記第２画像データの単位時間当たりの容量が所定値未満である場合の前記第２送信帯域よりも大きく設定されている場合、送信する前記第２画像データの単位時間当たりの容量が所定値未満であるか否かを判定するアラーム解除判定処理を実行し、
前記第２端末通知送信部は、前記アラーム解除判定処理の判定結果が送信する前記第２画像データの単位時間当たりの容量が所定値未満である場合、その旨を通知するアラーム解除通知を前記第２端末へ送信し、
前記表示データ作成部は、前記アラーム解除通知を受信してから所定時間が経過するまで、前記拡大表示データを作成することを特徴とする請求項３に記載の画像データ通信システム。
【請求項５】
前記第１端末及び前記第２端末は中継装置を介して接続され、
前記第１端末は、前記アラームフラグが設定された場合、その旨を通知するアラーム通知を前記中継装置に送信する中継装置通知送信部を備え、
前記中継装置は、
前記第１端末から受信した前記第１画像データを前記第２端末へ第３送信帯域で転送する第１画像データ転送部と、
前記第１端末から受信した前記第２画像データを前記第２端末へ第４送信帯域で転送する第２画像データ転送部と、
前記第３送信帯域及び前記第４送信帯域を管理する中継装置送信帯域管理部と、を備え、
前記中継装置帯域管理部は、
前記アラーム通知を受信した場合、前記第４送信帯域を、前記アラーム通知を受信していない場合の前記第４送信帯域よりも大きくなるように設定し、
前記アラーム通知を受信した場合、前記第３送信帯域を、前記アラーム通知を受信していない場合の前記第３送信帯域よりも小さくなるように設定することを特徴とする請求項１〜請求項４のいずれか一つに記載の画像データ通信システム。
【請求項６】
前記第１画像データ転送部は、前記アラーム通知を受信して、前記第３送信帯域が小さく設定された場合、前記転送する第１画像データの解像度及びフレームレートの少なくとも一方を、前記アラーム通知を受信していない場合よりも小さくすることを特徴とする請求項５に記載の画像データ通信システム。
【請求項７】
前記第２画像データ送信部は、前記第１送信帯域が、前記アラーム判定処理の判定結果が送信する前記第２画像データの単位時間当たりの容量が所定値未満である場合の前記第１送信帯域よりも小さく、前記第２送信帯域が、前記アラーム判定処理の判定結果が送信する前記第２画像データの単位時間当たりの容量が所定値未満である場合の前記第２送信帯域よりも大きく設定されている場合、送信する前記第２画像データの単位時間当たりの容量が所定値未満であるか否かを判定するアラーム解除判定処理を実行し、
前記中継装置通知送信部は、前記アラーム解除判定処理の判定結果が送信する前記第２画像データの単位時間当たりの容量が所定値未満である場合、その旨を通知するアラーム解除通知を前記中継装置へ送信し、
前記中継装置帯域管理部は、前記アラーム通知を受信してから所定時間経過しても、前記アラーム解除通知を受信しない場合、前記第３送信帯域及び前記第４送信帯域を、前記アラーム通知を受信していない場合の送信帯域に戻すことを特徴とする請求項５及び請求項６に記載の画像データ通信システム。
【請求項８】
複数の端末を備え、前記各端末に表示される画像データを前記複数の端末間で通信する画像データ通信システムにおける画像データ通信方法において、
前記画像データは、カメラによって撮像された第１画像データ、及び、前記いずれかの端末で実行された所定のアプリケーションで表示され、前記複数の端末間で共有される画面に表示される第２画像データを含み、
前記端末は、前記所定のアプリケーションを実行する第１端末と、前記第１端末で実行されたアプリケーションで表示された画面を前記第１端末と共有する第２端末と、を含み、
前記方法は、
前記第１端末が、前記第１画像データを第１送信帯域で前記通信部から送信する第１画像データ送信ステップと、
前記第１端末が、前記第２画像データを第２送信帯域で前記通信部から送信する第２画像データ送信ステップと、
前記第１端末が、前記第１送信帯域及び前記第２送信帯域を管理する第１端末送信帯域管理ステップと、を備え、
前記第２画像データ送信ステップでは、送信する前記第２画像データの単位時間当たりの容量が所定値以上であるか否かを判定するアラーム判定処理を実行し、
前記第１端末送信帯域管理ステップでは、
前記アラーム判定処理の判定結果が送信する前記第２画像データの単位時間当たりの容量が所定値以上である場合、前記第２送信帯域を、前記アラーム判定処理の判定結果が送信する前記第２画像データの単位時間当たりの容量が所定値未満である場合の前記第２送信帯域よりも大きくなるように設定し、
前記アラーム判定処理の判定結果が送信する前記第２画像データの単位時間当たりの容量が所定値以上である場合、前記第１送信帯域を、前記アラーム判定処理の判定結果が送信する前記第２画像データの単位時間当たりの容量が所定値未満である場合の前記第１送信帯域よりも小さくなるように設定することを特徴とする画像データ通信方法。
【請求項９】
前記第１画像データ送信ステップでは、前記アラーム判定処理の判定結果が送信する前記第２画像データの単位時間当たりの容量が所定値以上である場合、前記送信する第１画像データの解像度及びフレームレートの少なくとも一方を、前記アラーム判定処理の判定結果が送信する前記第２画像データの単位時間当たりの容量が所定値未満である場合よりも小さくすることを特徴とする請求項８に記載の画像データ通信方法。
【請求項１０】
前記方法は、
前記第２端末が、前記受信した第１画像データ及び前記第２画像データを表示する表示データを作成する表示データ作成ステップと、
前記第１端末が、前記判定結果が送信する前記第２画像データの単位時間当たりの容量が所定値以上である場合、その旨を通知するアラーム通知を前記第２端末に送信する第２端末通知送信ステップと、を含み、
前記表示データ作成ステップでは、前記アラーム通知を受信した場合、前記第２画像データを、前記アラーム通知を受信してない場合の前記第２画像データよりも大きく表示するための拡大表示データを作成することを特徴とする請求項９及び請求項１０に記載の画像データ通信方法。
【請求項１１】
前記第２画像データ送信ステップでは、前記第１送信帯域が、前記アラーム判定処理の判定結果が送信する前記第２画像データの単位時間当たりの容量が所定値未満である場合の前記第１送信帯域よりも小さく、前記第２送信帯域が、前記アラーム判定処理の判定結果が送信する前記第２画像データの単位時間当たりの容量が所定値未満である場合の前記第２送信帯域よりも大きく設定されている場合、送信する前記第２画像データの単位時間当たりの容量が所定値未満であるか否かを判定するアラーム解除判定処理を実行し、
前記第２端末通知送信ステップでは、前記アラーム解除判定処理の判定結果が送信する前記第２画像データの単位時間当たりの容量が所定値未満である場合、その旨を通知するアラーム解除通知を前記第２端末へ送信し、
前記表示データ作成ステップでは、前記アラーム解除通知を受信してから所定時間が経過するまで、前記拡大表示データを作成することを特徴とする請求項１０に記載の画像データ通信方法。
【請求項１２】
前記第１端末及び前記第２端末は中継装置を介して接続され、
前記方法は、
前記第１端末が、前記アラームフラグが設定された場合、その旨を通知するアラーム通知を前記中継装置に送信する中継装置通知送信ステップと、
前記中継装置が、前記第１端末から受信した前記第１画像データを前記第２端末へ第３送信帯域で転送する第１画像データ転送ステップと、
前記中継装置が、前記第１端末から受信した前記第２画像データを前記第２端末へ第４送信帯域で転送する第２画像データ転送ステップと、
前記中継装置が、前記第３送信帯域及び前記第４送信帯域を管理する中継装置送信帯域管理ステップと、を含み、
前記中継装置帯域管理ステップでは、
前記アラーム通知を受信した場合、前記第４送信帯域を、前記アラーム通知を受信していない場合の前記第４送信帯域よりも大きくなるように設定し、
前記アラーム通知を受信した場合、前記第３送信帯域を、前記アラーム通知を受信していない場合の前記第３送信帯域よりも小さくなるように設定することを特徴とする請求項８〜請求項１１のいずれか一つに記載の画像データ通信方法。
【請求項１３】
前記第１画像データ転送ステップでは、前記アラーム通知を受信して、前記第３送信帯域が小さく設定された場合、前記転送する第１画像データの解像度及びフレームレートの少なくとも一方を、前記アラーム通知を受信していない場合よりも小さくすることを特徴とする請求項１２に記載の画像データ通信方法。
【請求項１４】
前記第２画像データ送信ステップでは、前記第１送信帯域が、前記アラーム判定処理の判定結果が送信する前記第２画像データの単位時間当たりの容量が所定値未満である場合の前記第１送信帯域よりも小さく、前記第２送信帯域が、前記アラーム判定処理の判定結果が送信する前記第２画像データの単位時間当たりの容量が所定値未満である場合の前記第２送信帯域よりも大きく設定されている場合、送信する前記第２画像データの単位時間当たりの容量が所定値未満であるか否かを判定するアラーム解除判定処理を実行し、
前記中継装置通知送信ステップでは、前記アラーム解除判定処理の判定結果が送信する前記第２画像データの単位時間当たりの容量が所定値未満である場合、その旨を通知するアラーム解除通知を前記中継装置へ送信し、
前記中継装置帯域管理ステップでは、前記アラーム通知を受信してから所定時間経過しても、前記アラーム解除通知を受信しない場合、前記第３送信帯域及び前記第４送信帯域を、前記アラーム通知を受信していない場合の送信帯域に戻すことを特徴とする請求項１２及び請求項１３に記載の画像データ通信方法。
【発明の詳細な説明】
【技術分野】
【０００１】
本発明は、二種類の画像データを通信する画像データ通信システムに関し、特に、画像データの送信帯域を制御する画像データ通信システムに関する。
【背景技術】
【０００２】
近年、遠隔地の相手と意思疎通する手段としてテレビ会議システムが普及している。このテレビ会議システムにおいて、会議画像データ及び音声データのほかに、操作しているアプリケーションによって表示されるアプリケーション画像（共有画像）を会議の参加者と共有し、当該アプリケーション画像を相互に参照する機能を備えるテレビ会議システムが普及している。
【０００３】
従来のテレビ会議システムでは、中継装置（ＭＣＵ（Ｍｕｌｔｉｐｏｉｎｔ  Ｃｏｎｔｒｏｌ  Ｕｎｉｔ））が会議画像データ及び音声データを合成していた。
【０００４】
しかしながら、大規模なテレビ会議システムになると、中継装置に負荷が集中してしまい、会議画像データ及び音声データの遅延が大きくなるという問題がある。
【０００５】
このため、中継装置は、会議画像データ及び音声データの合成処理を実行せず、会議画像データ及び音声データの転送処理のみを実行し、終端のテレビ会議端末が会議画像データ及び音声データの合成処理を実行し、中継装置の負荷を軽減させている。
【０００６】
また、近年では、パケット喪失に耐性がある映像標準（Ｈ.２６４/ＳＶＣ）及び音声コーデック（Ｓｐｅｅｘ）が出現したため、テレビ会議システムの接続回線として既存のインターネット回線等を用いる運用方法も普及してきた。
【０００７】
インターネット回線では、テレビ会議システムのデータ以外のデータも通信されているため、限られた帯域内でテレビ会議システムのデータを通信しなければならない。
【０００８】
送受信するデータ量を測定し、データ量が所定値以上である場合、予め定義された優先度定義ファイルに従って、各種データの処理優先度及び通信帯域を設定する帯域幅制御装置が知られている（例えば、特許文献１参照）。これによって、特許文献１に記載された帯域幅制御装置は、限られた帯域内でデータの遅延等を防止する。
【先行技術文献】
【特許文献】
【０００９】
【特許文献１】特開２００３−１５２７９３号公報
【発明の概要】
【発明が解決しようとする課題】
【００１０】
特許文献１に記載された帯域幅制御装置は、限られた帯域内で各種データ毎に処理優先度及び通信帯域が割り当てられ、割り当てられた通信帯域内で各種データを転送するものである。
【００１１】
アプリケーション画像を会議参加者で共有するテレビ会議システムにおいて、アプリケーションがドキュメント等を展開するものである場合、当該ドキュメントのページめくり等によって画面内容全体が更新されると、瞬間的に大量のデータが転送される。
【００１２】
この場合、特許文献１に記載された帯域幅制御装置では、転送データが増大する場合を考慮せずに、通信帯域が割り当てられているので、データを転送するのに時間がかかり、テレビ会議システムで共有されるアプリケーション画像データの更新が遅延してしまう。
【００１３】
また、データ転送時間を短縮するために通信帯域を大きく確保した場合、アプリケーション画像は通常ほぼ変化せずデータ転送量は少ないものであるので、割り当てた通信帯域が余ってしまい、通信効率が悪くなってしまう。
【００１４】
本発明は、ページめくり等により共有画像データのトラヒック量が短時間で増大するような場合に、転送遅延を削減し、通信帯域を有効利用するように通信帯域を制御する画像データ通信システムを提供することを目的とする。
【課題を解決するための手段】
【００１５】
本発明の代表的な一例を示せば、複数の端末を備え、前記各端末に表示される画像データを前記複数の端末間で通信する画像データ通信システムにおいて、前記画像データは、カメラによって撮像された第１画像データ、及び、前記いずれかの端末で実行された所定のアプリケーションで表示され、前記複数の端末間で共有される画面に表示される第２画像データを含み、前記端末は、前記所定のアプリケーションを実行する第１端末と、前記第１端末で実行されたアプリケーションで表示された画面を前記第１端末と共有する第２端末と、を含み、前記第１端末は、前記第１画像データを第１送信帯域で前記通信部から送信する第１画像データ送信部と、前記第２画像データを第２送信帯域で前記通信部から送信する第２画像データ送信部と、前記第１送信帯域及び前記第２送信帯域を管理する第１端末送信帯域管理部と、を備え、前記第２画像データ送信部は、送信する前記第２画像データの単位時間当たりの容量が所定値以上であるか否かを判定するアラーム判定処理を実行し、前記第１端末送信帯域管理部は、前記アラーム判定処理の判定結果が送信する前記第２画像データの単位時間当たりの容量が所定値以上である場合、前記第２送信帯域を、前記アラーム判定処理の判定結果が送信する前記第２画像データの単位時間当たりの容量が所定値未満である場合の前記第２送信帯域よりも大きくなるように設定し、前記アラーム判定処理の判定結果が送信する前記第２画像データの単位時間当たりの容量が所定値以上である場合、前記第１送信帯域を、前記アラーム判定処理の判定結果が送信する前記第２画像データの単位時間当たりの第１容量が所定値未満である場合の前記第１送信帯域よりも小さくなるように設定することを特徴とする。
【発明の効果】
【００１６】
本発明によれば、共有画像データのトラヒック量が短時間で増大するような場合に、転送遅延を削減し、通信帯域を有効利用するように通信帯域を制御できる。
【図面の簡単な説明】
【００１７】
【図１】本発明の第１の実施形態のテレビ会議システムの構成図である。
【図２】本発明の第１の実施形態のテレビ会議システムの全体動作のシーケンス図である。
【図３】本発明の第１の実施形態のテレビ会議端末の送信側のブロック図である。
【図４Ａ】本発明の第１の実施形態の会議画像処理部の会議画像処理のフローチャートである。
【図４Ｂ】本発明の第１の実施形態の共有画像処理部の共有画像処理のフローチャートである。
【図５Ａ】本発明の第１の実施形態の通常状態時の各処理部のデータベース部の説明図である。
【図５Ｂ】本発明の第１の実施形態のアラーム中の各処理部のデータベース部の説明図である。
【図６】本発明の第１の実施形態の中継装置のブロック図である。
【図７Ａ】本発明の第１の実施形態の転送データ受信部の転送データ受信処理のフローチャートである。
【図７Ｂ】本発明の第１の実施形態の制御メッセージ通信部の制御メッセージ受信処理のフローチャートである。
【図７Ｃ】本発明の第１の実施形態のタイマ制御部のタイマ処理のフローチャートである。
【図８Ａ】本発明の第１の実施形態の中継装置の通常時の会議情報データベースの説明図である。
【図８Ｂ】本発明の第１の実施形態の中継装置のアラーム中の会議情報データベースの説明図である。
【図９】本発明の第１の実施形態のテレビ会議端末の受信側のブロック図である。
【図１０Ａ】本発明の第１の実施形態の会議画像処理部の会議画像データ受信処理のフローチャートである。
【図１０Ｂ】本発明の第１の実施形態の共有画像処理部の共有画像データ受信処理のフローチャートである。
【図１０Ｃ】本発明の第１の実施形態の表示処理部の画像表示処理のフローチャートである。
【図１０Ｄ】本発明の第１の実施形態の制御メッセージ通信部の制御メッセージ受信処理のフローチャートである。
【図１０Ｅ】本発明の第１の実施形態のタイマ制御部のタイマ処理のフローチャートである。
【図１１】本発明の第１の実施形態の通常表示画面データによる通常表示画面及びアラーム中表示画面データによるアラーム中表示画面の説明図である。
【図１２】本発明の第１の実施形態の変形例の通常表示画面データによる通常表示画面及びアラーム中表示画面データによるアラーム中表示画面の説明図である。
【発明を実施するための形態】
【００１８】
（第１の実施形態）
本発明の第１の実施形態を図１〜図１２を用いて説明する。
【００１９】
図１は、本発明の第１の実施形態のテレビ会議システムの構成図である。
【００２０】
テレビ会議システムは、複数のテレビ会議端末１Ａ〜１Ｃ（以下、総称しテレビ会議端末１）及び中継装置２を備える。各テレビ会議端末１及び中継装置２はネットワーク３を介して接続される。
【００２１】
テレビ会議端末１は、カメラによって撮影された映像データ（会議画像データ）をリアルタイムに取得し、及び、マイクによって録音された音声データをリアルタイムに取得する。また、テレビ会議端末１は、当該テレビ会議端末１上で動作するアプリケーションによって表示された画面を共有画像データとして取得する。なお、取得された共有画像データは、例えば、キャプチャ装置等の外部装置から入力されたデータであってもよい。
【００２２】
また、テレビ会議端末１は、会議画像データ、音声データ、及び共有画像データを各データ毎に設定された送信帯域で中継装置に送信する。
【００２３】
テレビ会議端末１は、受信した会議画像データに基づいて会議画像を表示し、受信した音声データに基づいて会議音声を出力し、共有画像データに基づいて共有画像を表示する。
【００２４】
中継装置２は、あるテレビ会議端末１から受信した会議画像データ、音声データ、及び共有画像データをテレビ会議に参加している他のテレビ会議端末１に転送する。なお、中継装置２が他のテレビ会議端末１に転送する転送帯域は、各テレビ会議端末１及び各データごとに設定されている。
【００２５】
なお、図１では、中継装置２は、一つしか開示されていないが、複数の中継装置２を用いてもよい。
【００２６】
また、テレビ会議端末１及び中継装置２は制御用メッセージを相互に通知する。
【００２７】
テレビ会議システムに備わる各テレビ会議端末１は、会議画像データ及び音声データを符号化し、符号化された会議画像データ及び音声データを中継装置２を介して他のテレビ会議端末１に送信する。
【００２８】
また、あるテレビ会議端末１は、アプリケーションで表示される共有画像データを符号化し、符号化された共有画像データを中継装置２を介して他のテレビ会議端末１に送信する。
【００２９】
また、中継装置２は、受信した会議画像データ、音声データ、及び共有画像データをそのまま他のテレビ会議端末１に転送する。
【００３０】
テレビ会議端末１は、受信した会議画像データ及び共有画像データを表示し、受信した音声データを出力する。
【００３１】
これによって、遠隔地間のテレビ会議が実現され、また、特定のテレビ会議端末１がアプリケーションで表示する画像を他のテレビ会議端末１と共有して参照できる。
【００３２】
なお、各テレビ会議端末１及び中継装置２は、インターネット等のネットワーク３を介して接続されるため、データの通信帯域が限定されるので、会議画像データ及び共有画像データの符号化にはＨ.２６４/ＳＶＣを用いる。
【００３３】
Ｈ.２６４/ＳＶＣでは、通信帯域が変動した場合に、データの解像度及びフレームレートの少なくとも一方を調整するため、映像が途切れることなく転送できる。
【００３４】
図２は、本発明の第１の実施形態のテレビ会議システムの全体動作のシーケンス図である。
【００３５】
図２では、テレビ会議端末１Ａがアプリケーションを起動し、アプリケーション画像を表示する端末であって、テレビ会議端末１Ａのアプリケーション画像が会議に参加するテレビ会議端末１Ｂ及び１Ｃと共有される。つまり、テレビ会議端末１Ａは、共有画像データを中継装置２を介してテレビ会議端末１Ｂ及び１Ｃに送信する。
【００３６】
なお、音声データの送信帯域は変化しないので、図２での説明は省略する。
【００３７】
通常時、テレビ会議端末１Ａは、会議画像データを送信帯域２０００ｋｂｐｓで中継装置２に送信し、共有画像データを送信帯域４００ｋｂｐｓで中継装置２に送信する（Ｓ１０１）。中継装置２は、テレビ会議端末１Ａから受信した会議画像データをテレビ会議端末１Ｂ及び１Ｃに送信帯域２０００ｋｂｐｓで送信し、テレビ会議端末１Ａから受信した共有画像データをテレビ会議端末１Ｂ及び１Ｃに送信帯域４００ｋｂｐｓで送信する（Ｓ２０１）。
【００３８】
テレビ会議端末１Ｂ及び１Ｃは、会議画像データ及び共有画像データを受信した場合、会議画像及び共有画像を表示する（Ｓ３０１）。
【００３９】
このとき、テレビ会議端末１Ａでは、アプリケーション画像においてページめくりが発生する（Ｓ１０２）。ページめくりが発生すると、テレビ会議端末１Ａが中継装置２に送信する共有画像データの容量が増大し、当該送信する共有画像データの容量が所定値以上になったことを検出する（Ｓ１０３）。
【００４０】
この場合、テレビ会議端末１Ａは、送信する共有画像データの容量が所定値以上になる旨を示すアラーム通知を中継装置２に送信し（Ｓ１０４）、会議画像データの送信帯域を４００ｋｂｐｓに減少させ、共有画像データの送信帯域を２０００ｋｂｐｓに増大させる（Ｓ１０５）。これによって、テレビ会議端末１Ａは、増大した共有画像データの転送遅延を防止する。
【００４１】
中継装置２は、テレビ会議端末１Ａからアラーム通知を受信した場合、テレビ会議端末１Ａの送信帯域の制御と同じく、会議画像データの送信帯域を４００ｋｂｐｓに減少させ、共有画像データの送信帯域を２０００ｋｂｐｓに増大させ（Ｓ２０２）、受信したアラーム通知をテレビ会議端末１Ｂ及び１Ｃに送信する（Ｓ２０３）。
【００４２】
テレビ会議端末１Ｂ及び１Ｃは、中継装置２からアラーム通知を受信した場合、アラーム状態に遷移し、画面表示内容が変更される共有画像をユーザが確認しやすいように、共有画像を拡大して表示する（Ｓ３０２）。
【００４３】
テレビ会議端末１Ａは中継装置２へ会議画像データを送信帯域４００ｋｂｐｓで送信し、共有画像データを送信帯域２０００ｋｂｐｓで送信し（Ｓ１０６）、中継装置２はテレビ会議端末１Ｂ及び１Ｃへ会議画像データを送信帯域４００ｋｂｐｓで送信し、共有画像データを送信帯域２０００ｋｂｐｓで送信する（Ｓ２０４）。これによって、送信する共有画像データの容量が増大しても、転送遅延を防止できる。
【００４４】
テレビ会議端末１Ａは、送信する共有画像データの容量が所定値よりも小さくなったことを検出した場合（Ｓ１０７）、その旨を通知するためのアラーム解除通知を中継装置２に送信する（Ｓ１０８）。テレビ会議端末１が送信する共有画像データの容量が所定値よりも小さくなると、ページめくりが終了したことを示し、テレビ会議端末１Ｂ及び１Ｃは、ページめくりによる共有画像の更新表示を終了し、更新後の共有画像を表示する（Ｓ３０３）。
【００４５】
また、テレビ会議端末１Ａは、アラーム解除通知の送信後、会議画像データの送信帯域を４００ｋｂｐｓから２０００ｋｂｐｓに戻し、共有画像データの送信帯域を２０００ｋｂｐｓから４００ｋｂｐｓに戻す（Ｓ１０９）。
【００４６】
中継装置２は、テレビ会議端末１Ａからアラ−ム解除通知を受信した場合、会議画像データの送信帯域を４００ｋｂｐｓから２０００ｋｂｐｓに戻し、共有画像データの送信帯域を２０００ｋｂｐｓから４００ｋｂｐｓに戻し（Ｓ２０５）、アラーム解除通知をテレビ会議端末１Ｂ及び１Ｃに転送する（Ｓ２０６）。
【００４７】
テレビ会議端末１Ｂ及び１Ｃは、中継装置２からアラーム解除通知を受信した場合、表示切替待ちタイマを起動させ（Ｓ３０４）、当該表示切替待ちタイマがタイムアップすると（Ｓ３０５）、共有画像の拡大表示を終了し、通常時の会議画像と共有画像との表示に戻す（Ｓ３０６）。これによって、ページめくりによる更新後の共有画像を確認するために十分な時間をユーザに提供できる。
【００４８】
図３は、本発明の第１の実施形態のテレビ会議端末１の送信側のブロック図である。
【００４９】
テレビ会議端末１は、音声処理部１１、会議画像処理部１２、共有画像処理部１３、送信帯域管理処理部１４、制御メッセージ通信部１５、及び通信インタフェース１６を備える。
【００５０】
テレビ会議端末１は、図示しないプロセッサ、プロセッサに接続されるメモリを備え、音声処理部１１、会議画像処理部１２、共有画像処理部１３、送信帯域管理処理部１４、及び制御メッセージ通信部１５はプロセッサがプログラムを実行することによって実現される。
【００５１】
音声処理部１１は、音声データを処理するものであって、入力処理部１１１、符号化処理部１１２、帯域制御部１１３、及びデータベース（ＤＢ）部１１４を備える。
【００５２】
入力処理部１１１は、マイク等の入力装置から入力された音声を音声データとして取得する。符号化処理部１１２は、入力処理部１１１によって取得された音声データを、例えばＳｐｅｅｘ等のコーデックによって符号化する。
【００５３】
データベース部１１４は、符号化処理部１１２によって符号化された音声データの送信に用いる送信帯域の値を保持する。帯域制御部１１３は、データベース部１１４で保持された値の送信帯域で音声データを送信する。
【００５４】
会議画像処理部１２は、会議画像データを処理するものであって、入力処理部１２１、符号化処理部１２２、帯域制御部１２３、及びデータベース（ＤＢ）部１２４を備える。
【００５５】
入力処理部１２１は、カメラ等の入力装置から入力された会議画像を会議画像データとして取得する。符号化処理部１２２は、入力処理部１２１によって取得された会議画像データを、Ｈ.２６４／ＳＶＣを用いて符号化する。
【００５６】
データベース部１２４は、符号化処理部１２２によって符号化された会議画像データの送信に用いる送信帯域の値を保持する。帯域制御部１２３は、データベース部１２４で保持された値の送信帯域で会議画像データを送信する。
【００５７】
共有画像処理部１３は、共有画像データを処理するものであって、入力処理部１３１、符号化処理部１３２、データ量測定部１３３、帯域制御部１３４、及びデータベース部１３５を備える。
【００５８】
入力処理部１３１は、キャプチャソフト及びドキュメント表示アプリケーションによって表示される共有画像を共有画像データとして取得する。符号化処理部１３２は、入力処理部１３１によって取得された共有画像データを、Ｈ.２６４／ＳＶＣを用いて符号化する。
【００５９】
データ量測定部１３３は、符号化処理部１３２によって符号化された共有画像データの容量（換言すれば、送信する共有画像データの容量）を測定する。データ量測定部１３３は、測定された容量が所定値以上である場合、アラームフラグを設定し、アラーム通知を送信帯域管理処理部１４に発行する。また、データ量測定部１３３は、アラームフラグが設定されている場合、測定された容量が所定値未満であれば、アラームフラグを解除し、アラーム解除通知を送信帯域管理処理部１４に発行する。
【００６０】
データベース部１３５は、符号化処理部１３２によって符号化された共有画像データの送信に用いる送信帯域の値を保持する。帯域制御部１３４は、データベース部１３５で保持された値の送信帯域で共有画像データを送信する。
【００６１】
送信帯域管理処理部１４は、会議画像データの送信帯域及び共有画像データの送信帯域を管理する。制御メッセージ通信部１５は、アラーム通知又はアラーム解除通知となる制御メッセージを中継装置２に送信する。通信インタフェース１６は、中継装置２とデータを通信するインタフェースである。
【００６２】
図４Ａは、本発明の第１の実施形態の会議画像処理部１２の会議画像処理のフローチャートである。
【００６３】
まず、会議画像処理部１２の入力処理部１２１は、カメラ等の入力装置から会議画像データを取得する（Ｆ１０１）。入力処理部１２１は、取得した会議画像データを符号化処理部１２２に出力する（Ｆ１０２）。符号化処理部１２２は、入力処理部１２１から入力された会議画像データをＨ.２６４/ＳＶＣに規定される映像標準にしたがって符号化する（Ｆ１０３）。
【００６４】
符号化処理部１２２は、符号化した会議画像データを帯域制御部１２３に出力する（Ｆ１０４）。帯域制御部１２３は、符号化処理部１２２から入力された会議画像データをデータベース部１２４に保持された送信帯域で中継装置２に送信する（Ｆ１０５）。
【００６５】
図４Ｂは、本発明の第１の実施形態の共有画像処理部１３の共有画像処理のフローチャートである。
【００６６】
まず、共有画像処理部１３の入力処理部１３１は、アプリケーションで表示される画像を共有画像データとして取得する（Ｆ２０１）。入力処理部１３１は、取得した共有画像データを符号化処理部１３２に出力する（Ｆ２０２）。符号化処理部１３２は入力された共有画像データをＨ.２６４/ＳＶＣに規定される映像標準にしたがって符号化する（Ｆ２０３）。
【００６７】
符号化処理部１２２は、符号化した共有画像データをデータ量測定部１３３に出力する（Ｆ２０４）。データ量測定部１３３は、符号化処理部１２２から入力された共有画像データからサンプリング周期毎のデータ量を測定する（Ｆ２０５）。換言すれば、データ量測定部１３３は、送信する共有画像データの単位時間当たりの容量を測定する。Ｆ２０５の処理で測定されたデータ量が上限値以上であれば共有画像のページめくりが発生したことを示す。
【００６８】
データ量測定部１３３は、テレビ会議端末１の状態がアラーム中であるか否かを判定する（Ｆ２０６）。
【００６９】
Ｆ２０６の処理で、テレビ会議端末１の状態がアラーム中でないと判定された場合、データ量測定部１３３は、Ｆ２０５の処理で測定されたデータ量が所定の上限値以上であるか否かを判定する（Ｆ２０７）。
【００７０】
Ｆ２０５の処理で測定されたデータ量が所定の上限値以上と、Ｆ２０７の処理で判定された場合、データ量測定部１３３は、テレビ会議端末１の状態をアラーム中に遷移させる（Ｆ２０８）。具体的には、データ量測定部１３３は、図示しないメモリにアラーム中であることを示すアラームフラグを設定することによって、テレビ会議端末１の状態をアラーム中に遷移させる。
【００７１】
次に、データ量測定部１３３は、テレビ会議端末１の状態をアラーム中に遷移させたことを示すアラーム通知を送信帯域管理処理部１４に出力する（Ｆ２０９）。
【００７２】
送信帯域管理処理部１４は、アラーム通知が入力された場合、アラーム通知を中継装置２に送信する要求であるアラーム通知送信要求を制御メッセージ通信部１５に出力する（Ｆ２１０）。制御メッセージ通信部１５は、アラーム通知送信要求が入力された場合、アラーム通知を示す制御メッセージを中継装置２に送信する（Ｆ２１１）。
【００７３】
次に、送信帯域管理処理部１４は、共有画像データの送信帯域を増大させるようにデータベース部１３５の送信帯域を変更し、会議画像データの送信帯域を減少させるように、データベース部１２４の送信帯域を変更する（Ｆ２１２）。
【００７４】
本実施形態では、送信帯域管理処理部１４は、会議画像データの送信帯域を２０００ｋｂｐｓから４００ｋｂｐｓに減少させ、共有画像データの送信帯域を４００ｋｂｐｓから２０００ｋｂｐｓに増大させる。
【００７５】
そして、帯域制御部１３４は、共有画像データをデータベース部１２４に保持された送信帯域で中継装置２に送信し（Ｆ２１９）、処理を終了する。
【００７６】
Ｆ２０５の処理で測定されたデータ量が所定の上限値未満であると、Ｆ２０７の処理で判定された場合、Ｆ２０８〜Ｆ２１２の処理を実行しないで、Ｆ２１９の処理に進む。
【００７７】
Ｆ２０６の処理で、テレビ会議端末１の状態がアラーム中であると判定された場合、データ量測定部１３３は、Ｆ２０５の処理で測定されたデータ量が所定の下限値未満であるか否かを判定する（Ｆ２１３）。
【００７８】
Ｆ２０５の処理で測定されたデータ量が所定の下限値未満であると、Ｆ２１３の処理で判定された場合、データ量測定部１３３は、テレビ会議端末１の状態を通常状態に遷移させる（Ｆ２１４）。具体的には、データ量測定部１３３は、テレビ会議端末１に備わる図示しないメモリに設定されたアラームフラグの設定を解除することによって、通常状態に遷移させる。
【００７９】
次に、データ量測定部１３３は、テレビ会議端末１の状態を通常状態に遷移させたことを示すアラーム解除通知を送信帯域管理処理部１４に出力する（Ｆ２１５）。
【００８０】
送信帯域管理処理部１４は、アラーム解除通知が入力された場合、アラーム解除通知を中継装置２に送信する要求であるアラーム解除通知送信要求を制御メッセージ通信部１５に出力する（Ｆ２１６）。制御メッセージ通信部１５は、アラーム解除通知送信要求が入力された場合、アラーム解除通知を示す制御メッセージを中継装置２に送信する（Ｆ２１７）。
【００８１】
次に、送信帯域管理処理部１４は、共有画像データ及び会議画像データの送信帯域を通常状態の値に戻すように、データベース部１２４及び１２５を変更し（Ｆ２１８）、Ｆ２１９の処理に進む。具体的には、送信帯域管理処理部１４は、会議画像データの送信帯域を４００ｋｂｐｓから２０００ｋｂｐｓに戻し、共有画像データの送信帯域を２０００ｋｂｐｓから４００ｋｂｐｓに戻す。
【００８２】
なお、テレビ会議端末１の状態がアラーム中となって、送信帯域が減少した会議画像データについては、図４Ａに示すＦ１０５の処理で、帯域制御部１２３が、送信する会議画像データの解像度及びフレームレートを通常状態よりも減少させて送信してもよい。これによって、送信帯域が減少しても会議画像データのフレーム落ち等を回避できる。
【００８３】
一方、Ｆ２０５の処理で測定されたデータ量が所定の下限値以上であると、Ｆ２１３の処理で判定された場合、Ｆ２１４〜Ｆ２１５の処理を実行せず、Ｆ２１９の処理に進む。
【００８４】
図５Ａは、本発明の第１の実施形態の通常状態時の各処理部１１〜１３のデータベース部１１４〜１３５の説明図である。
【００８５】
データベース部１１４〜１３５は、データベース５０１、現行送信帯域５０２、通常時送信帯域５０３、及びアラーム中送信帯域５０４を含む、
データベース５０１は、音声処理部１１のデータベース部１１４、会議画像処理部１２のデータベース部１２４、及び共有画像処理部１３のデータベース部１３５を示す。
【００８６】
現行送信帯域５０２は、各帯域制御部１１３〜１３４が各データの送信に用いる送信帯域を示す。通常時送信帯域５０３は通常時に設定される送信帯域を示す。アラーム中送信帯域５０４はアラーム中に設定される送信帯域を示す。
【００８７】
図５Ａは、テレビ会議端末１が通常時であるので、会議画像処理部１２のデータベース部１２４の現行送信帯域５０２には、通常時送信帯域５０３である２０００ｋｂｐｓが登録される。また、共有画像処理部１３のデータベース部１３５の現行送信帯域５０２には、通常時送信帯域５０３である４００ｋｂｐｓが登録される。
【００８８】
図５Ｂは、本発明の第１の実施形態のアラーム中の各処理部１１〜１３のデータベース部１１４〜１３５の説明図である。
【００８９】
図５Ｂは、テレビ会議端末１がアラーム中であるので、会議画像処理部１２のデータベース部１２４の現行送信帯域５０２には、アラーム中送信帯域５０４である４００ｋｂｐｓが登録される。また、共有画像処理部１３のデータベース部１３５の現行送信帯域５０２には、アラーム中送信帯域５０４である２０００ｋｂｐｓが登録される。
【００９０】
なお、Ｆ２０７の処理で、送信する共有画像データの容量が所定の上限値以上であると判定された場合に実行されるＦ２１２の処理で、データベース部１２４及び１３５は、アラーム中送信帯域５０４の値に変更される。
【００９１】
また、Ｆ２１８の処理で、データベース部１２４及び１３５の現行送信帯域５０２に通常時送信帯域５０３の値が登録されることによって、データベース部１２４及び１３５は、図５Ａの状態に戻る。
【００９２】
このように、帯域制御部１２３及び１３４が、データベース部１２４及び１３５の現行送信帯域５０２の値を変更することによって、各種データの送信帯域を動的に変更できる。
【００９３】
図６は、本発明の第１の実施形態の中継装置２のブロック図である。
【００９４】
中継装置２は、通信インタフェース２１、転送データ受信部２２、会議管理部２３、会議情報データベース（会議情報ＤＢ）２６、帯域制御部２４、制御メッセージ通信部２５、及びタイマ制御部２７を備える。
【００９５】
中継装置２は、図示しないプロセッサ、プロセッサに接続されるメモリを備え、転送データ受信部２２、会議管理部２３、帯域制御部２４、制御メッセージ通信部２５、及びタイマ制御部２７は、プロセッサがプログラムを実行することによって実現される。
【００９６】
通信インタフェース２１は、テレビ会議端末１とデータを通信するインタフェースである。転送データ受信部２２は、通信インタフェース２１を介して転送データ（音声データ、会議画像データ、及び共有画像データ）を受信する。会議管理部２３は、会議に参加するテレビ会議端末１を管理し、転送データの転送先及び転送データの転送に用いる送信帯域（転送帯域）を指示する。
【００９７】
会議情報データベース２６は、会議に参加するテレビ会議端末１に関する情報、及び、各転送データの送信帯域を保持する。帯域制御部２４は、会議管理部２３によって指示された送信帯域で転送データを送信する。
【００９８】
制御メッセージ通信部２５は、テレビ会議端末１からアラーム通知又はアラーム解除通知を示す制御メッセージを通信インタフェース２１を介して受信し、制御メッセージをテレビ会議端末１に通信インタフェース２１を介して送信する。
【００９９】
タイマ制御部２７は、中継装置２がアラーム通知を示す制御メッセージを受信してから所定時間経過した場合に中継装置２のアラーム中を解除し通常状態に遷移させるためのタイマを制御する。
【０１００】
図７Ａは、本発明の第１の実施形態の転送データ受信部２２の転送データ受信処理のフローチャートである。
【０１０１】
転送データ受信部２２が通信インタフェース２１を介してテレビ会議端末１から送信された転送データ（会議画像データ、共有画像データ、及び音声データ）を受信する（Ｆ３０１）。転送データ受信部２２は、受信した転送データを会議管理部２３に出力する（Ｆ３０２）。
【０１０２】
会議管理部２３は、図８に示す会議情報データベース２６を参照し、会議に参加している他のテレビ会議端末１を転送先情報として取得し、各転送データの送信帯域の値を取得する（Ｆ３０３）。会議管理部２３は転送データ、転送データの各送信帯域情報、及び転送先情報を帯域制御部２４に出力する（Ｆ３０４）。
【０１０３】
帯域制御部２４は、入力された情報に基づいて、転送データを、転送先情報によって特定されるテレビ会議端末１に、送信帯域に情報によって特定される送信帯域で送信する（Ｆ３０５）。
【０１０４】
図７Ｂは、本発明の第１の実施形態の制御メッセージ通信部２５の制御メッセージ受信処理のフローチャートである。
【０１０５】
制御メッセージ通信部２５は、通信インタフェース２１を介して、制御メッセージを受信する（Ｆ４０１）。制御メッセージ通信部２５は、制御メッセージがアラーム通知を示すか否かを判定する（Ｆ４０２）。
【０１０６】
Ｆ４０２の処理で、制御メッセージがアラーム通知を示すと判定された場合、制御メッセージ通信部２５は、共有画像データの送信帯域を増大させ、会議画像データの送信帯域を減少させるように、会議情報データベース２６の送信帯域を変更する（Ｆ４０３）。
【０１０７】
具体的には、制御メッセージ通信部２５は、図８Ａ及び図８Ｂに示す会議情報データベース２６に登録されたエントリのうち、制御メッセージを送信したテレビ会議端末１Ａと同じ会議に参加しているテレビ会議端末１Ｂ及び１Ｃのエントリを抽出する。そして、制御メッセージ通信部２５は、抽出したエントリの会議画像データの現行送信帯域８０４をアラーム中送信帯域８０６の値に変更するとともに、抽出したエントリの共有画像データの現行送信帯域８０４をアラーム中送信帯域８０６の値に変更する。
【０１０８】
本実施形態では、制御メッセージ通信部２５は、会議画像データの送信帯域を２０００ｋｂｐｓから４００ｋｂｐｓに減少させ、共有画像データの送信帯域を４００ｋｂｐｓから２０００ｋｂｐｓに増大させる。
【０１０９】
次に、制御メッセージ通信部２５は、アラーム解除タイマを起動する（Ｆ４０４）。アラーム解除タイマは、アラーム解除通知を示す制御メッセージを何らかの理由によって中継装置２が受信できない場合に、アラーム通知を示す制御メッセージを受信してから所定時間経過後に、送信帯域を通常時の送信帯域に戻し、通常状態に遷移させるためのタイマである。
【０１１０】
そして、制御メッセージ通信部２５は、受信した制御メッセージを会議に参加している他のテレビ会議端末１に送信し（Ｆ４０８）、処理を終了する。
【０１１１】
一方、Ｆ４０２の処理で、制御メッセージがアラーム通知を示さないと判定された場合、制御メッセージ通信部２５は、制御メッセージがアラーム解除通知を示すか否かを判定する（Ｆ４０５）。
【０１１２】
Ｆ４０５の処理で、制御メッセージがアラーム解除通知を示さないと判定された場合、Ｆ４０８の処理に進み、制御メッセージ通信部２５は、受信した制御メッセージを会議に参加している他のテレビ会議端末１に送信し、処理を終了する。
【０１１３】
Ｆ４０５の処理で、制御メッセージがアラーム解除通知を示すと判定された場合、制御メッセージ通信部２５は、共有画像データ及び会議画像データの送信帯域を通常状態の値に戻すように、会議情報データベース２６を変更する（Ｆ４０６）。
【０１１４】
なお、会議情報データベース２６の変更については、制御メッセージ通信部２５は、Ｆ４０３の処理で現行送信帯域８０４が変更されたエントリの現行送信帯域８０４を通常時送信帯域８０５の値に変更する。
【０１１５】
具体的には、制御メッセージ通信部２５は、会議画像データの送信帯域を４００ｋｂｐｓから２０００ｋｂｐｓに戻し、共有画像データの送信帯域を２０００ｋｂｐｓから４００ｋｂｐｓに戻す。
【０１１６】
次に、制御メッセージ通信部２５は、アラーム解除タイマを停止し（Ｆ４０７）、Ｆ４０８の処理に進み、受信した制御メッセージを会議に参加している他のテレビ会議端末１に送信し、処理を終了する。
【０１１７】
図７Ｃは、本発明の第１の実施形態のタイマ制御部２７のタイマ処理のフローチャートである。
【０１１８】
タイマ処理は、アラーム解除タイマが起動された場合所定周期で繰り返し実行される。
【０１１９】
タイマ制御部２７は、アラーム解除タイマがタイムアウトしたか否かを判定する（Ｆ５０１）。
【０１２０】
Ｆ５０１の処理で、アラーム解除タイマがタイムアウトしたと判定された場合、共有画像データ及び会議画像データの送信帯域を通常状態の値に戻すように、会議情報データベース２６を変更し（Ｆ５０２）、アラーム解除タイマを停止し（Ｆ５０３）、処理を終了する。
【０１２１】
なお、Ｆ５０２の処理は、Ｆ４０６の処理と同じであるので具体的な説明は省略する。
【０１２２】
一方、Ｆ５０１の処理で、アラーム解除タイマがタイムアウトしていないと判定された場合、処理を終了する。
【０１２３】
これによって、アラーム解除タイマが起動されてから所定時間経過しても、中継装置２がアラーム解除通知を示す制御メッセージを受信せずに、アラーム解除タイマが停止されない場合であっても、減少された会議画像データの送信帯域及び増大された共有画像データの送信帯域を通常時の値に戻すことができる。
【０１２４】
図８Ａは、本発明の第１の実施形態の中継装置２の通常時の会議情報データベース２６の説明図である。
【０１２５】
会議情報データベース２６は、会議名８０１、端末名８０２、データ種別８０３、現行送信帯域８０４、通常時送信帯域８０５、及びアラーム中送信帯域８０６を含む。
【０１２６】
会議名８０１には、開催されている会議の名称が登録されている。端末名８０２には、会議名８０１に登録された会議に参加しているテレビ会議端末１の識別子が登録される。データ種別８０３には、一つのテレビ会議端末１のエントリに対して会議画像データ、共有画像データ、及び音声データの種別が登録される。
【０１２７】
現行送信帯域８０４には、会議画像データ、共有画像データ、及び音声データの送信に用いる送信帯域の値が登録される。通常時送信帯域８０５には、通常時に会議画像データ、共有画像データ、及び音声データの送信帯域に設定される値が登録される。アラーム中送信帯域８０６には、アラーム中に会議画像データ、共有画像データ、及び音声データの送信帯域に設定される値が登録される。
【０１２８】
図８Ａは、通常時の会議情報データベース２６であるので、定例会議に参加するすべてのテレビ会議端末１に対応するエントリの現行送信帯域８０４には通常時送信帯域８０５に登録された値が登録される。
【０１２９】
図８Ｂは、本発明の第１の実施形態の中継装置２のアラーム中の会議情報データベース２６の説明図である。
【０１３０】
図８Ｂは、テレビ会議端末１Ａがアラーム通知を示す制御メッセージを中継装置２に送信した場合の会議情報データベース２６を示す。このため、テレビ会議端末１Ａは、共有画像データを送信する端末であり、当該共有画像データの送信先はテレビ会議端末１Ｂ及び１Ｃとなる。
【０１３１】
したがって、テレビ会議端末１Ａの共有画像データの配信先となるテレビ会議端末１Ｂ及び１Ｃの会議画像データ及び共有画像データの現行送信帯域８０４にはアラーム中送信帯域８０６に登録された値が登録される。
【０１３２】
これによって、中継装置２は、アラーム通知を示す制御メッセージを受信した場合、共有画像データを受信するテレビ会議端末１Ｂ及び１Ｃへの共有画像データの送信帯域を増大させ、会議画像データの送信帯域を減少させることができる。
【０１３３】
図９は、本発明の第１の実施形態のテレビ会議端末１の受信側のブロック図である。
【０１３４】
テレビ会議端末１の受信側は、音声処理部１１、会議画像処理部１２、共有画像処理部１３、表示処理部１７、制御メッセージ通信部１５、タイマ制御部１８、及び通信インタフェース１６を備える。
【０１３５】
音声処理部１１は、図３に示す音声処理部１１と同じプログラムであり、音声データを処理ものであり、受信側の音声処理部１１は、受信処理部１１５、復号化処理部１１６、音声合成処理部１１７、及び音声出力部１１８を備える。
【０１３６】
受信処理部１１５は、通信インタフェース１６を介して受信した音声データを受信する。復号化処理部１１６は、受信処理部１１５が受信した音声データを復号化する。音声合成処理部１１７は、複数のテレビ会議端末１から受信した音声データを合成する。音声出力部１１８は、音声合成処理部１１７によって合成された音声データを、スピーカ等の音声出力装置から出力する。
【０１３７】
会議画像処理部１２は、図３に示す会議画像処理部１２と同じプログラムであり、会議画像データを処理するものであり、受信処理部１２５及び復号化処理部１２６を備える。
【０１３８】
受信処理部１２５は、通信インタフェース１６を介して受信した会議画像データを受信する。復号化処理部１１６は、受信処理部１２５が受信した会議画像データを復号化し、表示処理部１７に出力する。
【０１３９】
共有画像処理部１３は、図３に示す共有画像処理部１３と同じプログラムであり、共有画像データを処理するものであり、受信処理部１３６及び復号化処理部１３７を備える。受信処理部１３６及び復号化処理部１３７は、処理対象が共有画像データである点以外は、受信処理部１２５及び復号化処理部１２６と同じであるので、説明を省略する。
【０１４０】
表示処理部１７は、会議画像データ及び共有画像データに基づいて、ディスプレイ等の映像表示装置に表示される表示画面データを作成するものであり、画像合成処理部１７１、及び画像出力部１７２を備える。
【０１４１】
画像合成処理部１７１は、会議画像処理部１２から入力された会議画像データ及び共有画像処理部１３から入力された共有画像データを合成して、一つの画面に出力するための表示画面データを作成する。画像出力部１７２は、画像合成処理部１７１によって合成された表示画面データをディスプレイ等の外部出力装置に出力する。
【０１４２】
制御メッセージ通信部１５は、図３に示す制御メッセージ通信部１５と同じプログラムであり、制御メッセージを通信インタフェース２１を介して受信する。
【０１４３】
タイマ制御部１８は、アラーム解除タイマ及び表示切替待ちタイマを制御する。アラーム解除タイマは、中継装置２で説明したように、アラーム解除通知を受信しなくてもアラーム通知から所定時間経過後にアラーム中を解除するためのタイマである。表示切替待ちタイマは、アラーム通知を受信した場合に共有画像データに基づく共有画像を拡大表示する拡大表示画面を表示するが、この拡大表示画面をアラーム解除通知の受信後においても所定時間を表示し続けるためのタイマである。
【０１４４】
図１０Ａは、本発明の第１の実施形態の会議画像処理部１２の会議画像データ受信処理のフローチャートである。
【０１４５】
受信処理部１２５は、会議画像データを通信インタフェース１６を介して受信する（Ｆ６０１）。
【０１４６】
受信処理部１２５は、受信した会議画像データを復号化処理部１２６に出力する（Ｆ６０２）。復号化処理部１２６は、入力された会議画像データを復号化し（Ｆ６０３）、復号化した会議画像データを画像合成処理部１７１に出力し（Ｆ６０４）、処理を終了する。
【０１４７】
図１０Ｂは、本発明の第１の実施形態の共有画像処理部１３の共有画像データ受信処理のフローチャートである。
【０１４８】
受信処理部１３６は、共有画像データを通信インタフェース１６を介して受信する（Ｆ７０１）。
【０１４９】
受信処理部１３６は、受信した共有画像データを復号化処理部１３７に出力する（Ｆ７０２）。復号化処理部１３７は、入力された共有画像データを復号化し（Ｆ７０３）、復号化した共有画像データを画像合成処理部１７１に出力し（Ｆ７０４）、処理を終了する。
【０１５０】
図１０Ｃは、本発明の第１の実施形態の表示処理部１７の画像表示処理のフローチャートである。
【０１５１】
画像合成処理部１７１は、図１０Ａに示す会議画像データ受信処理で出力された会議画像データ、及び図１０Ｂに示す共有画像データ受信処理で出力された共有画像データに基づいて、画像を合成する。
【０１５２】
まず、画像合成処理部１７１は、テレビ会議端末１がアラーム中であるか否かを判定する（Ｆ８０１）。画像合成処理部１７１は、アラーム通知を示す制御メッセージを受信した場合にテレビ会議端末１がアラーム中に設定される。制御メッセージに基づくテレビ会議端末１の状態の遷移については図１０Ｄで詳細を説明する。
【０１５３】
Ｆ８０１の処理で、テレビ会議端末１がアラーム中でないと判定された場合、画像合成処理部１７１は、会議画像データ及び共有画像データを合成した通常表示画面データ１１００（図１１参照）を作成し（Ｆ８０２）、作成した通常表示画面データ１１００を画像出力部１７２に出力する（Ｆ８０３）。画像出力部１７２は、入力された通常表示画面データ１１００を映像表示装置に表示し（Ｆ８０５）、処理を終了する。
【０１５４】
一方、Ｆ８０１の処理で、テレビ会議端末１がアラーム中であると判定された場合、画像合成処理部１７１は、会議画像データ及び共有画像データに基づいて、共有画像データを、通常表示画面データ１１００よりも拡大表示するアラーム中表示画面データ１１１０を作成し（Ｆ８０４）、Ｆ８０５の処理に進む。Ｆ８０５の処理では、画像出力部１７２は、入力されたアラーム中表示画面データ１１１０を映像表示装置に表示し、処理を終了する。
【０１５５】
ここで、通常表示画面データ１１００及びアラーム中表示画面データ１１１０について図１１を用いて説明する。
【０１５６】
図１１は、本発明の第１の実施形態の通常表示画面データ１１００による通常表示画面及びアラーム中表示画面データ１１１０によるアラーム中表示画面の説明図である。
【０１５７】
通常表示画面では、画面が四分割され、つまり、画面１１０１〜１１０４に分割されている。画面１１０１〜１１０３には、会議画像データに基づく会議画像が表示される。例えば、画面１１０１には自身（例えば、テレビ会議端末１Ｂ）の会議画像データに基づく会議画像が表示され、画面１１０２及び１１０３には他のテレビ会議端末１Ａ及び１Ｃの会議画像データに基づく会議画像が表示される。また、画面１１０４には、共有画像データに基づく共有画像が表示される。
【０１５８】
一方、アラーム中表示画面では、共有画像データに基づく共有画像が、画面１１０４よりも拡大表示され全画面表示され、会議画像データに基づく会議画像は表示されない。
【０１５９】
このように、アラーム中に共有画像のみを表示することによって、会議画像の送信帯域の減少による会議画像の劣化をユーザに意識させず、また、共有画像を拡大表示することで、共有画像の画像更新内容をユーザに把握させやすくすることができる。
【０１６０】
なお、アラーム中表示画面では、共有画像のみを表示しなくてもよく、会議画像を表示してもよい。この変形例について図１２を用いて説明する。
【０１６１】
図１２は、本発明の第１の実施形態の変形例の通常表示画面データ１１００による通常表示画面及びアラーム中表示画面データ１１１０によるアラーム中表示画面の説明図である。
【０１６２】
図１２の通常表示画面は、図１１の通常表示画面と同じであるので説明を省略する。
【０１６３】
アラーム中表示画面は、拡大表示された共有画像１１２１と、通常表示画面よりも縮小表示された会議画像１１２２が表示される。
【０１６４】
図１０Ｄは、本発明の第１の実施形態の制御メッセージ通信部１５の制御メッセージ受信処理のフローチャートである。
【０１６５】
中継装置２は、図７Ｂで説明しように、テレビ会議端末１から受信したアラーム通知又はアラーム解除通知を示す制御メッセージを、会議に参加している他のテレビ会議端末
１へ転送する。
【０１６６】
制御メッセージ通信部１５は、中継装置２から転送された制御メッセージを通信インタフェース１６を介して受信する（Ｆ９０１）。
【０１６７】
制御メッセージ通信部１５は、受信した制御メッセージがアラーム通知を示すか否かを判定する（Ｆ９０２）。
【０１６８】
Ｆ９０２の処理で、受信した制御メッセージがアラームを示すと判定された場合、制御メッセージ通信部１５は、アラーム通知を画像合成処理部１７１に出力する（Ｆ９０３）。画像合成処理部１７１は、アラーム通知が入力された場合、テレビ会議端末１の状態をアラーム中に遷移させる（Ｆ９０４）。具体的には、画像合成処理部１７１は、テレビ会議端末１に備わる図示しないメモリに受信側のアラームフラグを設定する。このアラームフラグが設定されるメモリの記憶領域は、送信する共有画像データの容量が上限値以上になった場合に設定されるアラームフラグの記憶領域とは異なる。このため、アラーム通知を受信したことによるアラーム中であるか、送信する共有画像データの容量が上限値以上になったことによるアラーム中であるかをプロセッサは判定可能である。
【０１６９】
制御メッセージ通信部１５は、Ｆ９０３の処理でアラーム通知を出力してから所定時間経過後にアラームフラグを解除するためのアラーム解除タイマを起動し（Ｆ９０５）、処理を終了する。
【０１７０】
一方、Ｆ９０２の処理で、受信した制御メッセージがアラーム通知でないと場合、制御メッセージ通信部１５は、受信した制御メッセージがアラーム解除通知を示すか否かを判定する（Ｆ９０６）。
【０１７１】
Ｆ９０６の処理で、受信した制御メッセージがアラーム解除通知でないと判定された場合、処理を終了する。
【０１７２】
Ｆ９０６の処理で、受信した制御メッセージがアラーム解除通知であると判定された場合、制御メッセージ通信部１５は、アラーム解除タイマを停止し（Ｆ９０７）、表示切替待ちタイマを起動し（Ｆ９０８）、処理を終了する。
【０１７３】
表示切替待ちタイマは、アラーム中表示画面を通常表示画面に切り替えるタイミングを管理するタイマである。具体的には、アラーム解除通知を受信してもすぐにアラーム中表示画面を通常表示画面に切り替えずに、アラーム解除通知を受信してから所定時間経過後にアラーム中表示画面を通常表示画面に切り替える。
【０１７４】
これによって、ユーザは、更新された共有画像の内容を確認できる十分な時間を確保できる。
【０１７５】
なお、アラーム解除タイマ及び表示切替待ちタイマのタイムアップ値は、テレビ会議端末ごとに設定される値であってもよいし、中継装置２にある値が設定されており、中継装置２が各テレビ会議端末１に設定してもよい。
【０１７６】
図１０Ｅは、本発明の第１の実施形態のタイマ制御部１８のタイマ処理のフローチャートである。
【０１７７】
タイマ処理は、所定周期で繰り返し実行される。
【０１７８】
まず、タイマ制御部１８は、アラーム解除タイマがタイムアウトしたか否かを判定する（ＦＡ０１）。
【０１７９】
ＦＡ０１の処理で、アラーム解除タイマがタイムアウトしたと判定された場合、タイマ制御部１８は、画像合成処理部１７１にアラーム解除通知を出力する（ＦＡ０３）。画像合成処理部１７１は、アラーム解除通知が入力された場合、自身の状態を通常状態に遷移させる（ＦＡ０４）。次に、タイマ制御部１８は、最後にタイマーを停止する（ＦＡ０５）。ＦＡ０４の処理は、具体的には、アラーム通知を受信したことによって図示しないメモリに設定されたアラームフラグを解除する処理である。
【０１８０】
一方、ＦＡ０１の処理で、アラーム解除タイマがタイムアウトしてないと判定された場合、タイマ制御部１８は、表示切替待ちタイマがタイムアウトしたか否かを判定する（ＦＡ０２）。
【０１８１】
ＦＡ０２の処理で、表示切替待ちタイマがタイムアウトしたと判定された場合、ＦＡ０３〜ＦＡ０５の処理を実行し、処理を終了する。
【０１８２】
一方、ＦＡ０２の処理で、表示切替待ちタイマがタイムアウトしてないと判定された場合、処理を終了する。
【０１８３】
以上によって、送信する共有画像データの容量が所定値以上である場合、共有画像データの送信帯域が通常時よりも増大するので、共有画像データの転送遅延を防止できる。
【０１８４】
また、アラーム中である場合、会議画像データの送信帯域を通常時よりも減少させるが、この場合、会議画像データの解像度及びフレームレートの少なくとも一方を減少させることによって、送信する会議画像データの容量を減少させるので、会議画像データの転送遅延も防止できる。
【０１８５】
また、共有画像データの送信帯域の増大後、送信する共有画像データが減少した場合、共有画像データ及び会議画像データの送信帯域を通常時の値に戻すことによって、会議画像データの送信帯域の減少による会議画像データによる会議画像の劣化を回復できる。
【０１８６】
共有画像データを送信するテレビ会議端末１が共有画像データの送信帯域を増大させ、会議画像データの送信帯域を減少させた場合、共有画像データを受信するテレビ会議端末は、共有画像を通常時よりも拡大表示し、会議画像を通常時よりも縮小表示するか表示しないため、会議画像の画質の劣化をユーザに意識させない。
【０１８７】
（第２の実施形態）
第１の実施形態は、複数のテレビ会議端末１は中継装置２を介して通信するものであるが、第２の実施形態は、テレビ会議システムは中継装置２を備えず、複数のテレビ会議端末１は中継装置２を介さずに通信する。
【０１８８】
テレビ会議システムが中継装置２を備えない場合、テレビ会議端末１が図８に示す中継装置２の会議情報データベース２６を備える。
【０１８９】
具体的には、音声処理部１１のデータベース部１１４には、会議に参加する他のテレビ会議端末１への現行送信帯域、通常時送信帯域、及びアラーム中送信帯域が登録され、会議画像処理部１２のデータベース部１２４には、会議に参加する他のテレビ会議端末１への現行送信帯域、通常時送信帯域、及びアラーム中送信帯域が登録され、共有画像処理部１３のデータベース部１３５には、会議に参加する他のテレビ会議端末１への現行送信帯域、通常時送信帯域、及びアラーム中送信帯域が登録される。
【０１９０】
テレビ会議端末１は、会議情報データベース２６を参照することによって、会議画像データ、共有画像データ、及び音声データを送信すべきテレビ会議端末１を特定し、特定したテレビ会議端末１にこれらのデータを送信する。
【０１９１】
また、送信する共有画像データの容量が上限値以上となった場合、送信帯域管理処理部１４が、会議画像処理部１２のデータベース部１２４及び共有画像処理部１３のデータベース部１３５の当該会議に参加する他のテレビ会議端末１の現行送信帯域にアラーム中送信帯域の値を登録する。
【０１９２】
以上によって、中継装置２を備えないテレビ会議システムに対しても本発明を適用できる。
【０１９３】
なお、本発明は、主としてテレビ会議に適用するものであるが、テレビ会議以外の画像データを端末間で通信するシステムに適用可能である。
【符号の説明】
【０１９４】
１    テレビ会議端末
２    中継装置
３    ネットワーク
１１    音声処理部
１２    会議画像処理部
１３    共有画像処理部
１４    送信帯域管理処理部
１５    制御メッセージ通信部
１６    通信インタフェース
１７    表示処理部
１８    タイマ制御部
２１    通信インタフェース
２２    転送データ受信部
２３    会議管理部
２４    帯域制御部
２５    制御メッセージ通信部
２６    会議情報データベース
２７    タイマ制御部
【図１】
2012114623.tif 000003
【図２】
2012114623.tif 000004
【図３】
2012114623.tif 000005
【図４Ａ】
2012114623.tif 000006
【図４Ｂ】
2012114623.tif 000007
【図５Ａ】
2012114623.tif 000008
【図５Ｂ】
2012114623.tif 000009
【図６】
2012114623.tif 000010
【図７Ａ】
2012114623.tif 000011
【図７Ｂ】
2012114623.tif 000012
【図７Ｃ】
2012114623.tif 000013
【図８Ａ】
2012114623.tif 000014
【図８Ｂ】
2012114623.tif 000015
【図９】
2012114623.tif 000016
【図１０Ａ】
2012114623.tif 000017
【図１０Ｂ】
2012114623.tif 000018
【図１０Ｃ】
2012114623.tif 000019
【図１０Ｄ】
2012114623.tif 000020
【図１０Ｅ】
2012114623.tif 000021
【図１１】
2012114623.tif 000022
【図１２】
2012114623.tif 000023